(57)【要約】【課題】所望の長さの釣り針付き釣り糸を容易に準備でき、かつ整頓して収納できる釣り糸ケースを提供する。  【解決手段】ヒンジ１３により開閉するとともに閉じたときに内部に空間が形成される一対のケース本体１１，１２と、ケース本体の内部の底面に形成された複数のピン孔１５と、ピン孔に選択的かつ着脱可能に取り付けられる複数のピン２とを備える。ピン孔１５は、ケース本体の一方の辺に沿った複数の縦列と他方の辺に沿った複数の横列の交点の幾つかに設けられ、ピン孔に選択的に取り付けられたピン２に釣り針４を引っ掛けるとともに、このピンに対応する縦列のピン孔に取り付けられたピンにチチ輪３４を引っ掛ける。【選択図】  図２
2005245396.tif 000002
【特許請求の範囲】
【請求項１】
釣り糸の一端を釣り針に結ぶとともに他端をチチ輪結びした複数本の釣り針付き釣り糸を整頓して収納するケースであって、
ヒンジにより開閉するとともに閉じたときに内部に空間が形成される一対のケース本体と、前記ケース本体の内部の底面の少なくとも一方に形成された複数のピン孔と、前記ピン孔に選択的かつ着脱可能に取り付けられる複数のピンとを備え、
前記ピン孔は、前記ケース本体の一方の辺に沿った複数の縦列と他方の辺に沿った複数の横列の交点の幾つか又は全てに設けられ、
前記ピン孔に選択的に取り付けられたピンに前記釣り針を引っ掛けるとともに、このピンに対応する縦列のピン孔に取り付けられたピンに前記チチ輪を引っ掛けることを特徴とする釣り糸ケース。
【請求項２】
前記一つの縦列のピン孔は、この縦列の一端と、この縦列の一端から、１センチメートルの間隔で、｛１＋５（ｎ−１）｝センチメートル〜｛５＋５（ｎ−１）｝センチメートルそれぞれ離れた位置に形成されていることを特徴とする請求項1記載の釣り糸ケース。ただし、ｎは自然数であり、前記縦列の両端の最大長さをＬセンチメートルとしたときに、｛５＋５（ｎ−１）｝センチメートルはＬセンチメートル以下である。
【請求項３】
前記一つの縦列のピン孔は、この縦列の一端と、この縦列の一端から５センチメートルの間隔でそれぞれ離れた位置に形成されていることを特徴とする請求項1または２記載の釣り糸ケース。
【請求項４】
前記ピンの先端に膨出部が形成されていることを特徴とする請求項1〜3の何れかに記載の釣り糸ケース。
【請求項５】
前記ピン孔には雌ネジが形成され、前記ピンの基端には前記雌ネジに螺合する雄ネジが形成されていることを特徴とする請求項１〜４の何れかに記載の釣り糸ケース。
【発明の詳細な説明】
【技術分野】
【０００１】
本発明は、一端に釣り針を付け他端をチチ輪結びした複数本の釣り糸を収納するためのケースに関し、特に種々の長さの釣り糸を容易に準備でき収納できる釣り糸ケースに関する。
【背景技術】
【０００２】
釣り針を付けた釣り糸（以下、釣り針付きハリス（鉤素）ともいう。）を収納するものとして梯子状の糸巻きが知られているが、仕掛けに応じた種々の長さを有する釣り針付きハリスを釣り場に持参するには、多くの糸巻きが必要となり、また釣り針付きハリスを交換する際にも所望の長さのハリスを捜さなければならず、時間がかかるといった問題がある。特に、釣り競技などにおいては競技時間が限られているので、短時間で所望の長さのハリスを交換することが望まれている。
【０００３】
長さの異なる釣り針付きハリスを収納するものとして、たとえば特開平７−１７０８９４号公報に開示されたものが知られている。
【特許文献１】特開平７−１７０８９４号公報
【発明の開示】
【０００４】
本発明は、所望の長さの釣り針付き釣り糸を容易に準備でき、かつ整頓して収納できる釣り糸ケースを提供することを目的とする。
上記目的を達成するために、本発明によれば、釣り糸の一端を釣り針に結ぶとともに他端をチチ輪結びした複数本の釣り針付き釣り糸を整頓して収納するケースであって、
ヒンジにより開閉するとともに閉じたときに内部に空間が形成される一対のケース本体と、前記ケース本体の内部の底面の少なくとも一方に形成された複数のピン孔と、前記ピン孔に選択的かつ着脱可能に取り付けられる複数のピンとを備え、
前記ピン孔は、前記ケース本体の一方の辺に沿った複数の縦列と他方の辺に沿った複数の横列の交点の幾つかに設けられ、
前記ピン孔に選択的に取り付けられたピンに前記釣り針を引っ掛けるとともに、このピンに対応する縦列のピン孔に取り付けられたピンに前記チチ輪を引っ掛けることを特徴とする釣り糸ケースが提供される。
【０００５】
本発明では、ケース本体の内部の底面に複数のピン孔を形成するとともに、使用者が必要とする長さに応じたピン孔にピンを取り付け、２つのピンの一方に釣り針を引っ掛けるとともに他方にチチ輪を引っ掛ける。
【０００６】
本発明のピン孔は、ケースの一方の辺に沿った縦列と他方の辺に沿った横列との交点に、仕掛けに必要とされる種々の長さを網羅できるように形成することができるので、ピンの取り付け位置を選択するだけで所望の長さの釣り針付き釣り糸を用意し、整頓して収納した状態で釣り場に持参することができる。これにより、釣り場において所望の長さの釣り糸に素早く交換することができる。
【発明の実施の形態】
【０００７】
以下、本発明の実施形態を図面に基づいて説明する。  
図１は本発明の実施形態に係る釣り糸ケース（閉じた状態）を示す斜視図、図２は同じく開いた状態の釣り糸ケースを示す斜視図、図３は図１のIII-III線に沿う断面図、図４はピン孔とピンの構造を示す拡大斜視図、図５はピン孔の配列を説明するための平面概念図、図６は本発明に係る釣り糸に形成するチチ輪結びの一例を示す図である。
【０００８】
図１及び図２に示す本実施形態に係る釣り糸ケース１は、ヒンジ１３により開閉するとともに閉じたときに内部に空間が形成される一対のケース本体１１，１２を有し、このケース本体１１,１２は木材、プラスチックまたは金属などで構成することができるが、重量の点からは木材またはプラスチックで構成することが好ましい。ケース本体１１,１２の大きさとして、たとえば長辺が４４ｃｍ、短辺が９ｃｍまたは６ｃｍ、閉じたときの厚さが３．８ｃｍである。ただし、この数値は本発明を限定する意味ではなく、収納する釣り糸の長さや本数に応じて適宜変更することができる。
【０００９】
ケース本体１１,１２を連結するヒンジ１３の対向辺には永久磁石１４ａ，１４ｂが埋め込まれ、ケース本体１１,１２を閉じるとこれらの永久磁石１４ａ，１４ｂが吸着することでケース本体１１,１２の開きがロックされる。なお、ケース本体１１,１２を開く際は永久磁石１４ａ,１４ｂの吸着力より大きな力でケース本体１１,１２を開ければよい。
【００１０】
ケース本体１１，１２の内部の底面１１１，１２１のそれぞれには、複数のピン孔１５（ピン孔の総称符号を１５とする。）が形成されている。本例のピン孔１５は、図４に拡大して示すように内面に雌ネジ１５１が形成された筒状の金属製ネジ１５２をケース本体の底面１１１，１２１に形成した孔１１２，１２２に埋め込むことで構成されているが、ケース本体の底面１１１，１２１に直接雌ネジを形成することもできるし、雌ネジに代えて単なる孔とすることもできる。
【００１１】
このピン孔１５は、ケース本体１１，１２の一方の辺（長辺）に沿った複数の縦列と他方の辺（短辺）に沿った複数の横列の交点の幾つかに設けられている。このピン孔１５の配列について図５を参照しながら説明する。なお、大きさを４４ｃｍ×９ｃｍ×３．８ｃｍとした釣り糸ケース１を例に挙げて説明し、同図において一点鎖線で示すのがケース本体１１，１２であり、複数の○印がピン孔１５である。
【００１２】
本例の釣り糸ケース１は長辺が４４ｃｍであり、区切りのいい長さとして、１ｃｍ〜８０ｃｍ（１ｃｍ刻み）の長さの釣り糸を収納することができるように構成したものである。そのために、まず両方のケース本体１１，１２のそれぞれの長辺に平行に１．２ｃｍ間隔で６列の縦列を形成し、両ケース本体で都合１２列の縦列を形成する。そして、この１２列を３列ずつ４グループに分類する。図３において縦列の符号を右から１５Ａａ，１５Ａｂ，１５Ａｃ，１５Ｂａ，１５Ｂｂ，…１５Ｄｂ，１５Ｄｃで示す。なお、釣り糸ケース１の短辺の長さを６ｃｍとしたときは片側のケース本体に４列の縦列を形成する。
【００１３】
各縦列１５Ａａ〜１５Ｄｃの両端にはピン孔１５を形成する。下端のピン孔を１５Ａ０，１５Ｂ０，１５Ｃ０，１５Ｄ０で示し、上端のピン孔を１５Ａ４０，１５Ｂ４０，１５Ｃ４０，１５Ｄ４０で示す。なお、各縦列の両端のピン孔１５の間隔は４０ｃｍである。
【００１４】
一方、各縦列の同一グループ１５Ａ〜１５Ｄにおいては同じ位置に横列を形成する。そして、第１の縦列グループ１５Ａにおいては、下側の端部から１ｃｍ〜５ｃｍ離れた位置と、下側の端部から１６ｃｍ〜２０ｃｍ離れた位置に、１ｃｍ間隔でピン孔１５を形成する。下側の端部から１ｃｍ〜５ｃｍ離れた位置に形成するピン孔を１５Ａ１，１５Ａ２，１５Ａ３，１５Ａ４，１５Ａ５で示し、下側の端部から１６ｃｍ〜２０ｃｍ離れた位置に形成するピン孔を１５Ａ１６，１５Ａ１７，１５Ａ１８，１５Ａ１９，１５Ａ２０で示す。
【００１５】
第２のグループ１５Ｂにおいては、下側の端部から６ｃｍ〜１０ｃｍ離れた位置と、下側の端部から２１ｃｍ〜２５ｃｍ離れた位置に、１ｃｍ間隔でピン孔１５を形成する。下側の端部から６ｃｍ〜１０ｃｍ離れた位置に形成するピン孔を１５Ｂ６，１５Ｂ７，１５Ｂ８，１５Ｂ９，１５Ｂ１０で示し、下側の端部から２１ｃｍ〜２５ｃｍ離れた位置に形成するピン孔を１５Ｂ２１，１５Ｂ２２，１５Ｂ２３，１５Ｂ２４，１５Ｂ２５で示す。
【００１６】
また、第３のグループ１５Ｃにおいては、下側の端部から１１ｃｍ〜１５ｃｍ離れた位置と、下側の端部から２６ｃｍ〜３０ｃｍ離れた位置に、１ｃｍ間隔でピン孔１５を形成する。下側の端部から１１ｃｍ〜１５ｃｍ離れた位置に形成するピン孔を１５Ｃ１１，１５Ｃ１２，１５Ｃ１３，１５Ｃ１４，１５Ｃ１５で示し、下側の端部から２６ｃｍ〜３０ｃｍ離れた位置に形成するピン孔を１５Ｃ２６，１５Ｃ２７，１５Ｃ２８，１５Ｃ２９，１５Ｃ３０で示す。
【００１７】
なお、第４のグループにおいては、下側の端部から５ｃｍ〜３５ｃｍ離れた位置に、５ｃｍ間隔でピン孔１５を形成する。下側の端部から５ｃｍ〜３５ｃｍ離れた位置に形成するピン孔を１５Ｄ５，１５Ｄ１０，１５Ｄ１５，１５Ｄ２０，１５Ｄ２５，１５Ｄ３０，１５Ｄ３５で示す。
【００１８】
以上の第１グループから第３グループのピン孔位置を一般式で表すと、両端のピン孔の距離をＬｃｍとしたときに、下端から１ｃｍの間隔で、｛１＋５（ｎ−１）｝ｃｍ〜｛５＋５（ｎ−１）｝ｃｍ（Ｌ≧｛５＋５（ｎ−１）｝）それぞれ離れた位置に形成することになる。ただし、ｎは自然数である。
【００１９】
ただし、図３に示すピン孔１５の形成位置は本発明を説明するための一例であり本発明はこの実施形態にのみ限定される趣旨ではない。
【００２０】
図１に戻り、本例ではさらに、上述した複数のピン孔１５に選択的かつ着脱可能に取り付けられる複数のピン２を有する。本例のピン２は、図４に詳示するように先端に棒出部２１が形成され、基端にピン孔１５の雌ネジ１５１に螺合する雄ネジ２２が形成されている。なお、膨出部２１は、釣り糸３のチチ輪３４を引っ掛けたときの抜け止めとなるものであるが、逆に釣り糸３を取り外す際に邪魔になるので僅かに軸から膨出すれば足りる。
【００２１】
図１及び図２に示す本実施形態に係る釣り糸ケース１は、釣り糸３の一端を釣り針４に結ぶとともに他端をチチ輪結びした複数本の釣り針付き釣り糸３を整頓して収納するケースであり、一つの釣り糸ケース１に種々の長さの釣り針付き釣り糸３を収納するためのものである。
【００２２】
すなわち、本例のケース１に収納される釣り針付き釣り糸３は、一端に釣り針４が結ばれた釣り糸（ハリス）３の他端にチチ輪３４を形成したもので、このチチ輪結びの手順を、図６を参照しながら説明する。
【００２３】
チチ輪３４を作るときには、まず、図６（ａ）に示すように、釣り糸３を２重に折り返して、この２重糸部分で円弧を形成するよう折り曲げて、２重糸部分の折り返し部３ａ側を基端側３５とクロスさせる。これにより、２重糸による環状体からなる第１環状部３１と、クロス部を介して第１環状部３１に隣接して形成され、２重糸の折り返し部３ａ側にて形成された環状体からなる第２環状部３２という、２つの環状部３１，３２が形成される。
【００２４】
この後、同図（ａ）及び（ｂ）に示すように、クロス部を固定しつつ、第１環状部３１と第２環状部３２とを相対的に逆方向に一回転ねじる。すなわち、第２環状部３２を固定しつつクロス部を更にねじる方向に、第１環状部３１を一回転させる。これにより、クロス部において、第１環状部３１と第２環状部３２とが確実に分けられることになる。
【００２５】
次に、同図（ｃ）及び（ｄ）に示すように、第２環状部３２を第１環状部３１内に通して外方に引き出す。なお、第１環状部３１から第２環状部３２を引き出す際に、クロス部の縒りが戻らない方向に引き出す。つまり、図示例では、第１環状部３１の奥から手前側に第２環状部３２を引き出さなければならない。
【００２６】
以上の作業により、この引き出された第２環状部３２をチチ輪本体として、緩い結び目３３を有する大まかなチチ輪３４が形成されるので、同図（ｅ）に示すように最後に第２環状部３２の先端を引っ張ってこの大まかなチチ輪３４の緩い結び目３３を強く締め込む。これにより、チチ輪３４が形成される。
【００２７】
次に本実施形態に係る釣り糸ケース１の使用方法について説明する。
【００２８】
まず、目的とする釣りの仕掛けに応じて必要とされる釣り糸３の長さを決定し、これに応じたピン配列を設定する。このとき、図３に示すように、第１グループのピン孔１５Ａは、下端のピン孔１５Ａ０からはそれぞれ１〜５ｃｍ及び１６〜２０ｃｍ離れている一方で、上端のピン孔１５Ａ４０からはそれぞれ２０〜２４ｃｍ及び３５〜４０ｃｍ離れている。同様に、第２グループのピン孔１５Ｂ及び第３グループのピン孔１５Ｃについても同様に下端からの距離に加えて上端からの距離も考慮することができる。
【００２９】
さらに、４０ｃｍを超える長さの釣り糸３が必要なときは、下端のピン孔１５Ａ０に取り付けたピン２に釣り針を引っ掛け、上端のピン孔１５Ａ４０で釣り糸３を折り返し、再び同列のピン２にチチ輪３４を引っ掛ければ、４１〜８０ｃｍの長さの釣り糸３を１ｃｍ刻みで引っ掛けることができる。
【００３０】
必要な長さのピン配列にしたら、釣り糸３の一端に釣り針４を結び、チチ輪３４を作る前の状態で釣り針４を下端又は上端のピン孔１５のピン２に引っ掛ける。そして、釣り糸３の他端を他方のピン２の位置にあわせて長さを調節し、上述したチチ輪結びの手順にしたがってチチ輪３４を作り、このチチ輪３４をピンに引っ掛ける。
【００３１】
このように、本実施形態の釣り糸ケース１によれば、チチ輪結びした釣り針付き釣り糸３を所望の長さで容易に作ることができるほか、１ｃｍ刻みであらゆる長さの釣り糸３を整頓して収納することができる。
【００３２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３３】
たとえば，上述した実施形態ではケース本体１１，１２の両方にピン孔１５を形成したが、これを何れか一方のみとし、他方の底面に別の釣り具を収納するように構成しても良い。
【００３４】
また、上述した実施形態では，ピン２の間隔を１ｃｍ刻みとし、これを５本設けたがこの数値は単なる例示であり、適宜の数値で良い。
【図面の簡単な説明】
【００３５】
【図１】本発明の実施形態に係る釣り糸ケース（閉じた状態）を示す斜視図である。
【図２】本発明の実施形態に係る釣り糸ケース（開いた状態）を示す斜視図である。
【図３】図１のIII-III線に沿う断面図である。
【図４】図２に示すピン孔とピンの構造を示す拡大斜視図である。
【図５】本発明の実施形態に係る釣り糸ケースのピン孔の配列を説明するための平面概念図である。
【図６】本発明に係る釣り糸に形成するチチ輪結びの一例を示す図である。
【符号の説明】
【００３６】
１…釣り糸ケース
１１，１２…ケース本体
１１１，１２１…内部の底面
１３…ヒンジ
１４…永久磁石
１５…ピン孔
２…ピン
２１…膨出部
２２…雄ネジ
３…釣り糸
３４…チチ輪
４…釣り針
【図１】
2005245396.tif 000003
【図２】
2005245396.tif 000004
【図３】
2005245396.tif 000005
【図４】
2005245396.tif 000006
【図５】
2005245396.tif 000007
【図６】
2005245396.tif 000008
【手続補正書】
【提出日】平成16年3月12日(2004.3.12)
【手続補正１】
【補正対象書類名】図面
【補正対象項目名】全図
【補正方法】変更
【補正の内容】
【図１】
2005245396.tif 000009
【図２】
2005245396.tif 000010
【図３】
2005245396.tif 000011
【図４】
2005245396.tif 000012
【図５】
2005245396.tif 000013
【図６】
2005245396.tif 000014